(57)【要約】      （修正有）【課題】設定した時刻に確実に目を覚まさせることができる目覚まし機能付きの撮影装置を提供する。【解決手段】アラームの発生とともに、デジタルカメラ１０で撮影が開始され、その撮影画像に基づき画角内における物体の移動の有無が検出される。そして、画角内で物体が移動したことが検出されると、アラームが停止する。【選択図】      図８
2005328467.tif 000002
【特許請求の範囲】
【請求項１】
撮影指令に応じて撮像素子から得られた画像をデジタル処理し、デジタルデータとして記憶媒体に記憶する撮影装置において、
時刻を計時する計時手段と、
アラームを発生するアラーム手段と、
アラームの発生時刻を設定するアラーム設定手段と、
前記アラーム設定手段で設定された時刻にアラームが発生するように前記アラーム手段を制御するアラーム発生制御手段と、
アラーム発生後、前記撮像素子から得られる画像に基づき物体の移動を検出する検出手段と、
物体の移動が前記検出手段に検出されると、アラームが停止するように前記アラーム手段を制御するアラーム停止制御手段と、
を備えたことを特徴とする撮影装置。
【請求項２】
撮影指令に応じて撮像素子から得られた画像をデジタル処理し、デジタルデータとして記憶媒体に記憶する撮影装置において、
時刻を計時する計時手段と、
アラームを発生するアラーム手段と、
アラームの発生時刻を設定するアラーム設定手段と、
前記アラーム設定手段で設定された時刻にアラームが発生するように前記アラーム手段を制御するアラーム発生制御手段と、
アラーム発生後、前記撮像素子から得られる画像に基づき物体の消失を検出する検出手段と、
物体の消失が前記検出手段に検出されると、アラームが停止するように前記アラーム手段を制御するアラーム停止制御手段と、
を備えたことを特徴とする撮影装置。
【請求項３】
撮影指令に応じて撮像素子から得られた画像をデジタル処理し、デジタルデータとして記憶媒体に記憶する撮影装置において、
時刻を計時する計時手段と、
アラームを発生するアラーム手段と、
アラームの発生時刻を設定するアラーム設定手段と、
前記アラーム設定手段で設定された時刻にアラームが発生するように前記アラーム手段を制御するアラーム発生制御手段と、
特定の被写体を撮像して得た画像をアラーム停止画像として記憶するアラーム停止画像記憶手段と、
アラーム発生後、前記撮像素子から得られる画像に基づき前記アラーム停止画像が前記撮像手段で得られたことを検出する検出手段と、
前記アラーム停止画像が前記撮像手段で得られたことが前記検出手段に検出されると、アラームが停止するように前記アラーム手段を制御するアラーム停止制御手段と、
を備えたことを特徴とする撮影装置。
【請求項４】
前記アラーム停止画像記憶手段には、前記撮像素子によって特定の被写体を特定の順番で撮像して得られた画像が、特定の順番でアラーム停止画像として記憶され、前記検出手段は、前記アラーム停止画像が前記特定の順番で前記撮像手段で得られたことを検出することを特徴とする請求項３に記載の撮影装置。
【請求項５】
監視時間を設定する監視時間設定手段と、
アラームの発生間隔を設定する発生間隔設定手段と、
を備え、前記アラーム発生制御手段は、前記監視時間設定手段で設定された監視時間の間、前記発生間隔設定手段で設定された発生間隔でアラームが発生するように前記アラーム手段を制御することを特徴とする請求項１、２、３又は４に記載の撮影装置。
【請求項６】
特定の被写体を撮像して得た画像をアラーム強制停止画像として記憶するアラーム強制停止画像記憶手段と、
撮影指令に応じて前記撮像素子から得られた画像が前記アラーム強制停止画像と一致しているか否か判定する判定手段と、
撮影指令に応じて前記撮像素子から得られた画像が前記アラーム強制停止画像と一致していると前記判定手段に判定されると、前記監視時間設定手段で設定された監視時間内であってもアラームの発生が強制的に停止するように前記アラーム手段を制御するアラーム強制停止制御手段と、
を備えたことを特徴とする請求項５に記載の撮影装置。
【請求項７】
撮影指令に応じて撮像素子から得られた画像をデジタル処理し、デジタルデータとして記憶媒体に記憶する撮影装置において、
時刻を計時する計時手段と、
アラームを発生するアラーム手段と、
アラームの発生時刻を設定するアラーム設定手段と、
前記アラーム設定手段で設定された時刻にアラームが発生するように前記アラーム手段を制御するアラーム発生制御手段と、
特定の被写体を撮像して得た画像をアラーム停止画像として記憶するアラーム停止画像記憶手段と、
アラーム発生後、撮影指令に応じて前記撮像素子から得られた画像が前記アラーム停止画像と一致しているか否か判定する判定手段と、
前記撮像素子から得られた画像が前記アラーム停止画像と一致していると前記判定手段に判定されると、アラームが停止するように前記アラーム手段を制御するアラーム停止制御手段と、
を備えたことを特徴とする撮影装置。
【発明の詳細な説明】
【技術分野】
【０００１】
本発明は撮影装置に係り、特に設定された時刻にアラームを鳴らすアラーム機能（目覚まし機能）付きの撮影装置に関する。
【背景技術】
【０００２】
カメラは、旅行等で携帯される機会が多いことから、カメラの付加機能として、目覚し時計機能を搭載しているものもある（たとえば、特許文献１、２、３）。
【０００３】
また、撮像機能を備えた目覚し時計として、特許文献４には、就寝中の人物の胸の上下の動きを撮像手段で撮像し、呼気のタイミングでアラームを鳴らすことにより、就寝中の人物が心地よく目覚めることができるようにすることが提案されている。
【０００４】
ところで、一般的な目覚し時計では、アラームが鳴った場合、停止ボタンを押すことによって、アラームを止めるようにすることが多い。
【０００５】
しかし、このようにしてアラームを止めてしまうと、停止ボタンを押した後、再度寝入ってしまったような場合に寝過ごしてしまうという問題がある。
【０００６】
このため、停止ボタンを押しても、一定時間後に再びアラームが鳴り出すスヌーズ機能を備えた目覚し時計も存在する。
【０００７】
しかし、スヌーズ機能を備えた目覚し時計であっても、完全停止ボタンを操作した場合には、上記同様に寝過ごしてしまうという問題がある。
【０００８】
そこで、特許文献５では、就寝中の人物が起き上がると、感知範囲に入るように赤外線センサ等の対人センサを設置し、その対人センサで就寝中の人物が起き上がったことが検出されるまで、アラームを鳴らし続ける方法や、寝床に重量センサを設け、就寝中の人物が寝床から離れるまで、アラームを鳴らし続ける方法が提案されている。
【特許文献１】特開２００２−２７１６５３号公報
【特許文献２】特開２００３−１７９７８９号公報
【特許文献３】特開２００３−２２８１１７号公報
【特許文献４】特開平９−２９２４７９号公報
【特許文献５】特開平６−１４０１０６号公報
【発明の開示】
【発明が解決しようとする課題】
【０００９】
しかしながら、特許文献５の目覚し時計では、センサの感知領域が限定されているため、寝相が悪い利用者の場合には、誤判別してしまうという欠点がある。また、重量センサの場合には、布団の重量などもあり、判別が難しいという欠点がある。さらに、アラームの音に気付かない場合には、まったくの無力になってしまうという問題もある。
【００１０】
本発明は、このような事情に鑑みてなされたもので、設定した時刻に確実に目を覚まさせることができる目覚まし機能付きの撮影装置を提供することを目的とする。
【課題を解決するための手段】
【００１１】
請求項１に係る発明は、前記目的を達成するために、撮影指令に応じて撮像素子から得られた画像をデジタル処理し、デジタルデータとして記憶媒体に記憶する撮影装置において、時刻を計時する計時手段と、アラームを発生するアラーム手段と、アラームの発生時刻を設定するアラーム設定手段と、前記アラーム設定手段で設定された時刻にアラームが発生するように前記アラーム手段を制御するアラーム発生制御手段と、アラーム発生後、前記撮像素子から得られる画像に基づき物体の移動を検出する検出手段と、物体の移動が前記検出手段に検出されると、アラームが停止するように前記アラーム手段を制御するアラーム停止制御手段と、を備えたことを特徴とする撮影装置を提供する。
【００１２】
本発明によれば、アラーム発生後、画角内で物体が移動したことが撮影画像から検出されると、アラームが停止する。たとえば、就寝中の人物が起き上がるところが、撮影画像から検出されると、アラームが停止する。
【００１３】
また、請求項２に係る発明は、前記目的を達成するために、撮影指令に応じて撮像素子から得られた画像をデジタル処理し、デジタルデータとして記憶媒体に記憶する撮影装置において、時刻を計時する計時手段と、アラームを発生するアラーム手段と、アラームの発生時刻を設定するアラーム設定手段と、前記アラーム設定手段で設定された時刻にアラームが発生するように前記アラーム手段を制御するアラーム発生制御手段と、アラーム発生後、前記撮像素子から得られる画像に基づき物体の消失を検出する検出手段と、物体の消失が前記検出手段に検出されると、アラームが停止するように前記アラーム手段を制御するアラーム停止制御手段と、を備えたことを特徴とする撮影装置を提供する。
【００１４】
本発明によれば、アラーム発生後、画角内で物体が消失したことが撮影画像から検出されると、アラームが停止する。たとえば、布団の中で就寝中の人物が起き上がっていなくなることが、撮影画像から検出されると、アラームが停止する。
【００１５】
また、請求項３に係る発明は、前記目的を達成するために、撮影指令に応じて撮像素子から得られた画像をデジタル処理し、デジタルデータとして記憶媒体に記憶する撮影装置において、時刻を計時する計時手段と、アラームを発生するアラーム手段と、アラームの発生時刻を設定するアラーム設定手段と、前記アラーム設定手段で設定された時刻にアラームが発生するように前記アラーム手段を制御するアラーム発生制御手段と、特定の被写体を撮像して得た画像をアラーム停止画像として記憶するアラーム停止画像記憶手段と、アラーム発生後、前記撮像素子から得られる画像に基づき前記アラーム停止画像が前記撮像手段で得られたことを検出する検出手段と、前記アラーム停止画像が前記撮像手段で得られたことが前記検出手段に検出されると、アラームが停止するように前記アラーム手段を制御するアラーム停止制御手段と、を備えたことを特徴とする撮影装置を提供する。
【００１６】
本発明によれば、アラーム発生後、特定の被写体を撮像して得たアラーム停止画像が撮像されたことが検出されると、アラームが停止する。たとえば、特定のポーズで撮影した画像をアラーム停止画像とすると、アラーム発生後、このポーズが撮像手段で撮像されたことが検出されると、アラームが停止する。
【００１７】
また、請求項４に係る発明は、前記目的を達成するために、前記アラーム停止画像記憶手段には、前記撮像素子によって特定の被写体を特定の順番で撮像して得られた画像が、特定の順番でアラーム停止画像として記憶され、前記検出手段は、前記アラーム停止画像が前記特定の順番で前記撮像手段で得られたことを検出することを特徴とする請求項３に記載の撮影装置を提供する。
【００１８】
本発明によれば、特定の被写体を特定の順番で撮像して得られた画像が特定の順番でアラーム停止画像としてアラーム停止画像記憶手段に記憶される。検出手段は、このアラーム停止画像が特定の順番で撮像手段で撮像されたことを検出する。したがって、アラームを停止させる場合は、このアラーム停止画像記憶手段に記憶されたアラーム停止画像を特定の順番で撮像素子に撮像させることにより行われる。
【００１９】
また、請求項５に係る発明は、前記目的を達成するために、監視時間を設定する監視時間設定手段と、アラームの発生間隔を設定する発生間隔設定手段と、を備え、前記アラーム発生制御手段は、前記監視時間設定手段で設定された監視時間の間、前記発生間隔設定手段で設定された発生間隔でアラームが発生するように前記アラーム手段を制御することを特徴とする請求項１、２、３又は４に記載の撮影装置を提供する。
【００２０】
本発明によれば、一度アラームが止められた場合であっても、監視時間設定手段で設定された監視時間の間は発生間隔設定手段で設定された発生間隔でアラームが発生される。これにより、一度アラームを止めた後、再度、寝てしまった場合であっても、監視時間内はアラームが鳴るので、寝過ごしを防止することができる。
【００２１】
また、請求項６に係る発明は、前記目的を達成するために、特定の被写体を撮像して得た画像をアラーム強制停止画像として記憶するアラーム強制停止画像記憶手段と、撮影指令に応じて前記撮像素子から得られた画像が前記アラーム強制停止画像と一致しているか否か判定する判定手段と、撮影指令に応じて前記撮像素子から得られた画像が前記アラーム強制停止画像と一致していると前記判定手段に判定されると、前記監視時間設定手段で設定された監視時間内であってもアラームの発生が強制的に停止するように前記アラーム手段を制御するアラーム強制停止制御手段と、を備えたことを特徴とする請求項５に記載の撮影装置を提供する。
【００２２】
本発明によれば、撮影指令に応じて撮像素子から得られた画像がアラーム強制停止画像と一致すると、監視時間設定手段で設定された監視時間内であっても、アラームの発生が強制的に停止される。
【００２３】
また、請求項７に係る発明は、前記目的を達成するために、撮影指令に応じて撮像素子から得られた画像をデジタル処理し、デジタルデータとして記憶媒体に記憶する撮影装置において、時刻を計時する計時手段と、アラームを発生するアラーム手段と、アラームの発生時刻を設定するアラーム設定手段と、前記アラーム設定手段で設定された時刻にアラームが発生するように前記アラーム手段を制御するアラーム発生制御手段と、特定の被写体を撮像して得た画像をアラーム停止画像として記憶するアラーム停止画像記憶手段と、アラーム発生後、撮影指令に応じて前記撮像素子から得られた画像が前記アラーム停止画像と一致しているか否か判定する判定手段と、前記撮像素子から得られた画像が前記アラーム停止画像と一致していると前記判定手段に判定されると、アラームが停止するように前記アラーム手段を制御するアラーム停止制御手段と、を備えたことを特徴とする撮影装置を提供する。
【００２４】
本発明によれば、アラーム発生後、撮影装置に撮影指令を出して撮影した画像が、あらかじめアラーム停止画像記憶手段に記憶されたアラーム停止画像と一致すると、アラームが停止する。
【発明の効果】
【００２５】
本発明に係る撮影装置によれば、アラーム機能により設定した時刻に確実に目を覚まさせることができる。
【発明を実施するための最良の形態】
【００２６】
以下、添付図面に従って本発明に係る撮影装置を実施するための最良の形態について説明する。
【００２７】
図１、図２は、それぞれ本発明が適用された撮影装置の一実施形態を示す正面斜視図と背面斜視図である。
【００２８】
本実施の形態の撮影装置１０は、目覚まし時計の機能（アラーム機能）を備えたデジタルカメラ（以下、デジタルカメラと呼ぶ）であって、そのカメラボディ１２は、横方向に細長く形成された矩形の箱状に形成されている。
【００２９】
カメラボディ１２の正面には、図１に示すように、撮影レンズ１４、ファインダ窓１６、ストロボ１８、マイク２０等が設けられており、上面には、シャッターボタン２２、電源／モードスイッチ２４、モードダイヤル２６等が設けられている。
【００３０】
また、カメラボディ１２の背面には、図２に示すように、ファインダ接眼部２８、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられており、片側の側面には、ＵＳＢ端子４４、電源端子４６、ＡＶ出力端子４８が設けられている。
【００３１】
また、図示しないカメラボディ１２の底面には、開閉自在なカバーを介してバッテリーを収納するためのバッテリー収納室と、メモリカードを装填するためのメモリカードスロットとが設けられている。
【００３２】
シャッターボタン２２は、いわゆる「半押し」と「全押し」とからなる２段ストローク式のスイッチで構成されている。デジタルカメラ１０は、このシャッターボタン２２を半押しすることにより、ＡＥ（Automatic Exposure：自動露出）、ＡＦ（Auto Focus：自動合焦）、ＡＷＢ（Automatic White Balance ：自動ホワイトバランス）が機能し、全押しすることにより撮影が行われる。
【００３３】
電源／モードスイッチ２４は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」、「時計位置」の間をスライド自在に設けられている。デジタルカメラ１０は、この電源／モードスイッチ２４を「再生位置」、「撮影位置」又は「時計位置」に合わせることにより、電源がＯＮになり、「ＯＦＦ位置」に合わせることにより、電源がＯＦＦになる。そして、電源／モードスイッチ２４を「再生位置」に合わせることにより「再生モード」に、「撮影位置」に合わせることにより「撮影モード」に、「時計位置」に合わせることにより「時計モード」に設定される。
【００３４】
モードダイヤル２６は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」に設定される。
【００３５】
液晶モニタ３０は、カラー表示が可能な液晶ディスプレイで構成されている。この液晶モニタ３０は、再生モード時に撮影済み画像を表示するための画像表示パネルとして利用されるとともに、各種設定時にユーザインターフェース表示パネルとして利用される。また、撮影時には必要に応じてスルー画像が表示されて、画角確認用の電子ファインダとして利用される。
【００３６】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００３７】
十字ボタン３４は、上下左右４方向に押圧操作することができるようにされており、各方向の指示を入力するボタンとして機能する。
【００３８】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００３９】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００４０】
図３は、デジタルカメラ１０の電気的構成を示すブロック図である。同図に示すように、デジタルカメラ１０は、ＣＰＵ１１０、操作部（シャッターボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、メモリ（ＳＤＲＡＭ）１２０、ＶＲＡＭ１２２、計時回路１２４、光学ユニット１２６、フォーカスモータドライバ１２８、ズームモータドライバ１３０、アイリスモータドライバ１３２、撮像素子１３４、タイミングジェネレータ（ＴＧ）１３６、アナログ処理回路１３８、Ａ／Ｄ変換器１４０、画像入力コントローラ１４２、画像信号処理回路１４４、圧縮・伸張処理回路１４６、メディアコントローラ１４８、記憶メディア（メモリカード）１５０、ＵＳＢインターフェース１５２、ＬＣＤ／ビデオエンコーダ１５４、ＯＳＤ回路１５６、ＡＥ／ＡＷＢ検出回路１５８、ＡＦ検出回路１６０、ストロボ制御回路１６２、音声入力処理回路１６４、音声出力処理回路１６６等で構成されている。
【００４１】
ＣＰＵ１１０は、デジタルカメラ１０の全体の動作を制御する制御部として機能するとともに、各種の演算処理を行う演算手段として機能し、操作部１１２からの入力に基づき所定の制御プログラムに従って各回路を制御する。
【００４２】
バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００４３】
メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００４４】
計時回路１２４は現在日時を計測し、計測し計時した現在日時の情報をＣＰＵ１１０に出力する。ＣＰＵ１１０は、この計時回路１２４で計時される現在日時の情報に基づいて撮影日時等の日時情報を取得する。
【００４５】
光学ユニット１２６は、撮影レンズ１４と絞り５０とで構成されている。撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御し、ズームモータドライバ１３０を介してズームモータの駆動を制御することにより、撮影レンズ１４のズームを制御する。絞り５０は、図示しないアイリスモータに駆動されることにより、開口量（絞り値）が変化する。ＣＰＵ１１０は、アイリスモータドライバ１３２を介してアイリスモータの駆動を制御することにより、絞り５０の絞り値を制御する。
【００４６】
撮像素子１３４は、カラーＣＣＤで構成されており、その受光面には多数のフォトダイオード（受光素子）が配列されている。光学ユニット１２６を介して撮像素子１３４の受光面に入射した光は、各フォトダイオードによって入射光量に応じた量の信号電荷に変換される。
【００４７】
タイミングジェネレータ（ＴＧ）１３６は、ＣＰＵ１１０からの指令に従い、主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００４８】
アナログ処理回路１３８は、撮像素子１３４から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）するとともに、増幅する。
【００４９】
Ａ／Ｄ変換器１４０は、アナログ処理回路１３８から出力されたＲ、Ｇ、Ｂのアナログの画像信号をそれぞれ１２ビットのデジタルの画像信号に変換する。
【００５０】
画像入力コントローラ１４２は、所定容量のラインバッファを内蔵し、Ａ／Ｄ変換器１４０から出力された１画像分の画像信号を蓄積して、メモリ１２０に格納する。
【００５１】
画像信号処理回路１４４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従って入力されたデジタル画像信号に所要の信号処理を施して、画像データを生成する。
【００５２】
圧縮・伸張処理回路１４６は、ＣＰＵ１１０からの指令に従い、入力された画像データに圧縮処理を施し、所定フォーマットの圧縮画像データを生成する。また、入力された圧縮画像データに伸張処理を施し、非圧縮のデジタル画像データを生成する。
【００５３】
メディアコントローラ１４８は、ＣＰＵ１１０からの指令に従い、メディアスロットに装填された記憶メディア（メモリカード）１５０に対してデータの読み出し及び書き込みを制御する。
【００５４】
ＵＳＢインターフェース１５２は、ＣＰＵ１１０からの指令に従い、ＵＳＢ端子４４を介して接続された外部機器（パソコンやプリンタ等）との間でＵＳＢ規格に従った通信を行う。
【００５５】
ＬＣＤ／ビデオエンコーダ１５４は、ＣＰＵ１１０からの指令に従い、画像データが示す画像を液晶モニタ３０に表示するための信号を生成して、液晶モニタ３０に出力する。また、画像データが示す画像をテレビに表示するための信号（たとえば、ＮＴＳＣ信号やＰＡＬ信号、ＳＣＡＭ信号）を生成して、ＡＶ出力端子４８に出力する。
【００５６】
ＯＳＤ（On Screen Display ）回路１５６は、ＣＰＵ１１０からの指令に従って、液晶モニタ等の画面上に表示する文字や図形を示す信号をＬＣＤ／ビデオエンコーダ１５４に出力する。
【００５７】
ＡＥ／ＡＷＢ検出回路１５８は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（例えば、１６×１６）に分割し、分割した各エリアごとにＲ、Ｇ、Ｂの画像信号の積算値を算出する。ＣＰＵ１１０は、このＡＥ／ＡＷＢ検出回路１５８から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００５８】
ＡＦ検出回路１６０は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１６０は、入力された画像信号から画像の鮮鋭度を示す焦点評価値を算出する。ＣＰＵ１１０は、このＡＦ検出回路１６０で算出される焦点評価値が極大となるように、フォーカスモータドライバ１２８の駆動を制御し、フォーカスレンズ１４Ｆの移動を制御する。
【００５９】
ストロボ制御回路１６２は、ＣＰＵ１１０からの指令に従って、ストロボの発光を制御する。
【００６０】
音声入力処理回路１６４は、ＣＰＵ１１０からの指令に従って、マイク２０を介して入力された音声信号を処理する。
【００６１】
音声出力処理回路１６６は、ＣＰＵ１１０からの指令に従って、スピーカ４２から出力するための音声信号を処理する。
【００６２】
次に、前記のごとく構成された本実施の形態のデジタルカメラ１０のカメラとしての処理動作について説明する。
【００６３】
上記のように、デジタルカメラ１０は、カメラのモードを撮影モードに設定することにより、撮影が可能になる。
【００６４】
なお、この撮影に際して、デジタルカメラ１０は、撮像素子１３４によって連続的に撮像される画像を液晶モニタ３０に表示させることにより、液晶モニタ３０をファインダとして使用することができる。撮像素子１３４によって撮像された画像を液晶モニタ３０に表示する場合の処理は、次のとおりである。
【００６５】
１回の撮像によって撮像素子１３４から出力された１画面分の画像信号は、アナログ処理回路１３８、Ａ／Ｄ変換器１４０を介して画像入力コントローラ１４２に取り込まれ、メモリ１２０に格納される。メモリ１２０に格納された１画面分の画像信号は、画像信号処理回路１４４に加えられ、輝度データ（Ｙ）と色差データ（Ｃｒ、Ｃｂ）とからなる画像データ（ＹＣデータ）に変換されたのち、メモリ１２０に格納される。そして、メモリ１２０からＶＲＡＭ１２２に転送され、ＶＲＡＭ１２２からＬＣＤ／ビデオエンコーダ１５４を介して液晶モニタ３０に出力される。これにより、１画面分の画像が液晶モニタ３０に表示される。
【００６６】
撮像素子１３４によって連続的に撮像した画像を液晶モニタ３０に出力する場合は、撮像素子１３４から連続的に出力される画像信号から生成される画像データによってＶＲＡＭ１２２内の画像データを定期的に書き換え、ＬＣＤ／ビデオエンコーダ１５４を介して液晶モニタ３０に出力する。これにより、撮像素子１３４によって連続的に撮像された動画像（スルー画像）が液晶モニタ３０に表示される。撮影者は、この液晶モニタ３０に表示されるスルー画像を見ることにより、液晶モニタ３０をファインダとして使用することができる。
【００６７】
上記のように、デジタルカメラ１０は、シャッターボタン２２の半押しでＡＥ、ＡＦ、ＡＷＢが機能し、全押しで画像記録が行われる。
【００６８】
シャッターボタン２２が半押しされると、ＣＰＵ１１０にＳ１ＯＮ信号が入力され、このＳ１ＯＮ信号に応動して、ＣＰＵ１１０はＡＥ、ＡＦ、ＡＷＢの処理を実行する。
【００６９】
まず、Ｓ１ＯＮ信号に応動して撮像素子１３４から出力された画像信号が、アナログ処理回路１３８、Ａ／Ｄ変換器１４０を介して画像入力コントローラ１４２に取り込まれ、メモリ１２０に格納される。メモリ１２０に格納された画像信号は、ＡＥ／ＡＷＢ検出回路１５８並びにＡＦ検出回路１６０に加えられる。
【００７０】
ＡＥ／ＡＷＢ検出回路１５８は、入力された画像信号からＡＥ制御及びＡＷＢ制御に必要な物理量を算出し、ＣＰＵ１１０に出力する。ＣＰＵ１１０は、このＡＥ／ＡＷＢ検出回路１５８からの出力に基づき、絞り値とシャッタースピードを決定するとともに、ホワイトバランス補正値を決定する。
【００７１】
また、ＡＦ検出回路１６０は、入力された画像信号からＡＦ制御に必要な物理量を算出し、ＣＰＵ１１０に出力する。ＣＰＵ１１０は、このＡＦ検出回路１６０からの出力に基づきフォーカスモータドライバ１２８の駆動を制御し、フォーカスレンズ１４Ｆの移動を制御して、撮影レンズ１４のピントを主要被写体に合わせる。
【００７２】
この後、シャッターボタン２２が全押しされると、ＣＰＵ１１０にＳ２ＯＮ信号が入力され、このＳ２ＯＮ信号に応動して、ＣＰＵ１１０は画像の記録処理を実行する。
【００７３】
まず、上記のＡＥ処理で求めた絞り値、シャッタースピードで撮像素子１３４を露光し、記録用の画像信号の取り込みを行う。
【００７４】
撮像素子１３４から出力された画像信号は、アナログ処理回路１３８、Ａ／Ｄ変換器１４０を介して画像入力コントローラ１４２に取り込まれ、メモリ１２０に格納される。メモリ１２０に格納された画像信号は、ＣＰＵ１１０の制御の下、画像信号処理回路１４４に加えられ、輝度データと色差データとからなる画像データ（ＹＣデータ）に変換される。生成された画像データは、一旦、メモリ１２０に格納され、圧縮・伸張処理回路１４６に加えられる。圧縮・伸張処理回路１４６は、画像データを所定の所定の圧縮フォーマット（たとえばＪＰＥＧ）に従って圧縮し、圧縮された画像データは、再度、メモリ１２０に格納される。
【００７５】
ＣＰＵ１１０は、メモリ１２０に格納された圧縮画像データに対して、撮影日時や絞り値、シャッタースピードなどの付属情報を付加した所定フォーマット（たとえばＥｘｉｆ）の画像ファイルを生成する。生成された画像ファイルは、ＣＰＵ１１０による制御の下、メディアコントローラ１４８を介して記憶メディア（メモリカード）１５０に記録される。
【００７６】
このようにして記憶メディア１５０に記録された画像ファイルは、カメラのモードを再生モードに設定することにより、液晶モニタ３０で再生が可能になる。
【００７７】
電源／モードスイッチ２４を再生位置に合わせて、カメラのモードを再生モードに設定すると、ＣＰＵ１１０は、メディアコントローラ１４８にコマンドを出力し、記憶メディア１５０に最後に記録された画像ファイルを読み出させる。
【００７８】
読み出された画像ファイルの圧縮画像データは、圧縮・伸張処理回路１４６に加えられ、伸張処理が施されて非圧縮の画像データにされたのち、ビデオエンコーダ１３６を介してモニタ３０に出力される。これにより、記憶メディア１５０に記録されている画像がモニタ３０に再生表示される。
【００７９】
画像のコマ送りは、十字ボタン３４の左右のキー操作で行なわれ、右キーが操作されると、次の画像ファイルが記憶メディア１５０から読み出され、液晶モニタ３０に再生表示される。また、十字ボタン３４の左キーが操作されると、一つ前の画像ファイルが記憶メディア１５０から読み出され、液晶モニタ３０に再生表示される。
【００８０】
次に、本実施の形態のデジタルカメラ１０の目覚まし時計としての処理動作について説明する。
【００８１】
本実施の形態のデジタルカメラ１０では、アラーム機能を有効にすると、設定された時刻（目覚まし時刻）にスピーカ４２からアラームが鳴らされる。このアラーム発生とともにデジタルカメラ１０は撮影を開始し、撮影されている画角内で物体が動くと、発生したアラームが停止される。
【００８２】
まず、アラームの設定方法について説明する。図４は、アラーム機能の設定処理の手順を示すフローチャートである。
【００８３】
アラームの設定は、カメラのモードをアラーム設定モードにして行われる。アラーム設定モードは、時計モードの下、メニューから呼び出して設定される。すなわち、電源／モードスイッチ２４にてカメラのモードを時計モードに設定し、ＭＥＮＵ／ＯＫボタン３６を押すと、図５（ａ）に示すように、液晶モニタ３０にメニュー画面が表示されるので、そのメニュー画面に表示されたメニューの中から「アラーム設定」の項目を選択して設定する。メニュー項目の選択は、カーソルを十字ボタン３４で移動させることにより行われ、ＭＥＮＵ／ＯＫボタン３６を押すと、選択が確定する。
【００８４】
ＣＰＵ１１０は、カメラのモードがアラーム設定モードに設定されたか否か判定する（ステップＳ１０）。
【００８５】
アラーム設定モードに設定されると、ＣＰＵ１１０は、図５（ｂ）に示すように、液晶モニタ３０にアラーム設定画面を表示させる。このアラームの設定画面には、アラーム発生時刻の入力部と、アラーム機能のＯＮ／ＯＦＦの設定部が設けらており、ユーザは、この液晶モニタ３０に表示されたアラーム設定画面に従ってアラームの設定、すなわち、アラーム発生時刻とアラーム機能のＯＮ／ＯＦＦの設定を行う（ステップＳ１１）。
【００８６】
ここで、アラーム発生時刻の設定及びアラーム機能のＯＮ／ＯＦＦの設定は、十字ボタン３４で行われる。すなわち、カーソルをアラーム発生時刻の時又は分の入力部に移動させ、十字ボタン３４の上下キーを操作すると、時又は分の表示がアップ・ダウンする。同様にカーソルをアラーム機能のＯＮ／ＯＦＦの設定部に移動させ、十字ボタン３４の上下キーを操作すると、アラーム機能の設定部の表示がＯＮ又はＯＦＦになる。
【００８７】
設定終了はＭＥＮＵ／ＯＫボタン３６の押下により行われ、このＭＥＮＵ／ＯＫボタン３６の押下が検出されると、ＣＰＵ１１０は、カメラのモードをアラーム設定モードから時計モードに移行させるとともに、設定された情報をＥＥＰＲＯＭ１１８に記録する。
【００８８】
時計モードに設定されると、図５（ｃ）に示すように、ＣＰＵ１１０は、計時回路１２４で計測される現在日時の情報に基づき液晶モニタ３０に現在時刻を表示させる。
【００８９】
なお、この時計表示は、省電力化のため、一定時間経過すると、自動的に表示がＯＦＦにされ、シャッターボタン２２が押されると再表示される。ただし、設定により常時表示させておくこともできる。
【００９０】
このように、アラームの設定が行われると（ステップＳ１１）、ＣＰＵ１１０は設定された情報に基づきアラーム機能がＯＮ設定されているか否か判定する（ステップＳ１２）。そして、アラーム機能がＯＮ設定されていると判定すると、アラーム機能をＯＮにし（ステップＳ１４）、アラーム機能の処理を開始する。
【００９１】
上述したように、本実施の形態のデジタルカメラ１０は、アラームが鳴らされたあと、撮影画角内で動く物体が撮影されると、アラームが停止される。
【００９２】
ここでは、就寝中の人物が起き上がる動作によってアラームが止められるようにする。このため、デジタルカメラ１０は、就寝中の人物が写り込む位置に設置する。たとえば、図６（ａ）に示すように、就寝中の人物の枕元に設置し、図７（ａ）に示すように、就寝中の人物の上半身が写り込むように設置する。
【００９３】
図８は、アラーム機能の処理の手順を示すフローチャートである。
【００９４】
ＣＰＵ１１０は、アラーム機能が有効（ＯＮ）にされているか否か判定し（ステップＳ２０）、有効にされている場合において、以下のアラーム機能の処理を実行する。
【００９５】
まず、計時回路１２４から現在日時の情報を取得するとともに、ＥＥＰＲＯＭ１１８からアラーム発生時刻を取得し、アラーム発生時刻に達しているか否か判定する（ステップＳ２１）。
【００９６】
アラーム発生時刻に達していると判定すると、ＣＰＵ１１０は、カメラの電源がＯＦＦにされているか否か判定し（ステップＳ２２）、ＯＦＦにされている場合は、電源をＯＮにする（ステップＳ２３）。そして、ＲＯＭ１１６に記録されているアラームの音声ファイルを読み出し、音声出力処理回路１６６に加えて、スピーカ４２からアラームを発生させる（ステップＳ２４）。
【００９７】
また、撮像系に電源を供給し、撮影を開始する（ステップＳ２５）。そして、その撮影画像に基づき画角内における物体の移動を検出する（ステップＳ２６）。
【００９８】
ここで、物体の移動検出は、撮像素子１３４で定期的に撮像される画像に対して、現在の撮影画像と前回の撮影画像との差分（輝度分布の差分）を求めることにより行われ、この差分が一定の閾値を超えたことをもって画角内で物体が移動したことを検出する。
【００９９】
たとえば、図６（ａ）及び（ｂ）に示すように、就寝中の人物を写した画像は、図７（ａ）及び（ｂ）に示すように、変化がほとんどないが、図６（ｂ）〜（ｄ）に示すように、就寝中の人物が起き上がると、その状態を定期的に写した画像は、図７（ｂ）〜（ｄ）に示すように変化するので、その差分を検出することにより、画角内の物体が移動しているか否か検出することができる。
【０１００】
画像信号処理回路１４４は、ＣＰＵ１１０による制御の下、撮像素子１３４から定期的に取り込まれる画像信号を処理し、現在の撮影画像と前回の撮影画像との差分を求め、ＣＰＵ１１０に出力する。ＣＰＵ１１０は、この差分がＲＯＭ１１６にあらかじめ記録された閾値を超えたか否か判定し、撮影画角内における物体の移動を検出する。そして、物体の移動が検出されると、アラームの停止処理を行い（ステップＳ２７）、アラーム機能の処理を終了する。
【０１０１】
このように、本実施の形態のデジタルカメラ１０では、画角内における物体の移動が検出されると、アラームが停止される。これにより、寝過ごしを有効に防止することができる。
【０１０２】
なお、物体の移動を検出する場合の閾値は、検出感度となるので、この値をユーザが段階的に変更できるようにしてもよい。また、比較する画像の取り込み間隔もユーザが段階的に変更できるようにしてもよい。
【０１０３】
また、物体の移動を検出するために撮影した画像は、記憶メディア１５０に記録するようにしてもよい。
【０１０４】
ところで、上記のように本実施の形態のデジタルカメラ１０では、画角内における物体の移動が検出されると、アラームが停止されるが、アラームを止めた後、再度寝入ってしまったような場合には、寝過ごしてしまうおそれがある。
【０１０５】
そこで、本実施の形態のデジタルカメラ１０には、スヌーズ機能として、一度アラームを止めた場合であっても、一定期間内は定期的にアラームを鳴らし続ける機能が備えられている。以下、このスヌーズ機能について説明する。
【０１０６】
上記のように、スヌーズ機能は、一度アラームを止めた場合であっても、一定期間（監視期間）は、一定の間隔（アラーム発生間隔）でアラームを鳴らし続ける機能である。本実施の形態のデジタルカメラ１０では、この監視期間とアラーム発生間隔をユーザが設定できるようになっている。設定は、スヌーズ機能のＯＮ／ＯＦＦの設定とともに、カメラのモードをスヌーズ設定モードして行われる。
【０１０７】
図９は、スヌーズ機能の設定処理の手順を示すフローチャートである。
【０１０８】
スヌーズ設定モードは、時計モードの下、メニューから呼び出して設定される。すなわち、電源／モードスイッチ２４にてカメラのモードを時計モードに設定し、ＭＥＮＵ／ＯＫボタン３６を押すと、図１０（ａ）に示すように、液晶モニタ３０にメニュー画面が表示されるので、そのメニュー画面に表示されたメニューの中から「スヌーズ設定」の項目を選択して設定する。
【０１０９】
ＣＰＵ１１０は、カメラのモードがスヌーズ設定モードに設定されたか否か判定する（ステップＳ３０）。
【０１１０】
スヌーズ設定モードに設定されると、ＣＰＵ１１０は、図１０（ｂ）に示すように、液晶モニタ３０にスヌーズ機能の設定画面を表示させる。このスヌーズ機能の設定画面には、スヌーズ機能のＯＮ／ＯＦＦの設定部と、監視時間の入力部と、アラーム発生間隔の入力部とが設けらており、ユーザは、この液晶モニタ３０に表示されたスヌーズ機能の設定画面に従ってスヌーズ機能の設定、すなわち、スヌーズ機能のＯＮ／ＯＦＦ、監視時間、アラーム発生間隔の設定を行う（ステップＳ３１）。
【０１１１】
ここで、スヌーズ機能のＯＮ／ＯＦＦ、監視時間、アラーム発生間隔の設定は、十字ボタン３４で行われる。すなわち、カーソルをスヌーズ機能のＯＮ／ＯＦＦの設定部に移動させ、十字ボタン３４の上下キーを操作すると、スヌーズ機能の設定部の表示がＯＮ又はＯＦＦになる。同様にカーソルを監視時間又はアラーム発生間隔の入力部に移動させ、十字ボタン３４の上下キーを操作すると、監視時間又はアラーム発生間隔の表示が１分単位でアップ・ダウンする。
【０１１２】
設定終了はＭＥＮＵ／ＯＫボタン３６の押下により行われ、このＭＥＮＵ／ＯＫボタン３６の押下が検出されると、ＣＰＵ１１０は、図１０（ｃ）に示すように、カメラのモードをスヌーズ設定モードから時計モードに移行させるとともに、設定された情報をＥＥＰＲＯＭ１１８に記録する。
【０１１３】
図１１は、スヌーズ機能が有効にされている場合のアラーム機能の処理手順を示すフローチャートである。
【０１１４】
アラーム発生後（ステップＳ４０）、ＣＰＵ１１０は、アラームがＯＦＦにされたか否か判定する（ステップＳ４１）。
【０１１５】
アラームがＯＦＦにされたと判定すると、ＣＰＵ１１０は、計時回路１２４から得られる時刻情報と、ＥＥＰＲＯＭ１１８に記録されている監視時間の情報とに基づき、監視時間内であるか否かを判定する（ステップＳ４２）。
【０１１６】
監視時間内と判定した場合は、計時回路１２４から得られる時刻情報と、ＥＥＰＲＯＭ１１８に記録されているアラーム発生間隔の情報とに基づき、設定されているアラーム発生間隔を経過したか否か判定する（ステップＳ４３）。
【０１１７】
アラーム発生間隔を経過したと判定した場合は、再度、アラームを発生させ（ステップＳ４４）、ステップＳ４１に戻って、同じ処理を繰り返す。
【０１１８】
このように、スヌーズ機能を有効にしておくことにより、あらかじめ設定した監視時間
内は、あらかじめ設定されたアラーム発生間隔でアラームが発生されるので、再度寝入ってしまった場合であっても、寝過ごしを有効に防止することができる。
【０１１９】
なお、本実施の形態では、監視時間とアラーム発生間隔をユーザが任意に設定できるとしているが、固定値としてもよい。
【０１２０】
また、スヌーズ機能を有効にすると、監視時間内はユーザが起きていても、アラームが鳴り続けることになるので、強制的に解除する機能を設けてもよい。以下、このスヌーズ機能を強制解除する方法について説明する。
【０１２１】
スヌーズ機能の強制解除は、監視時間内にユーザが特定のアラーム強制停止画像を撮影することにより行われる。このスヌーズ機能強制解除用のアラーム強制停止画像は、あらかじめユーザが撮影して、デジタルカメラ１０に登録しておくものとする。
【０１２２】
登録はカメラのモードを画像登録モードに設定して行われる。画像登録モードは、時計モードの下、メニューから呼び出して設定される。すなわち、電源／モードスイッチ２４にてカメラのモードを時計モードに設定し、ＭＥＮＵ／ＯＫボタン３６を押すと、図１２（ａ）に示すように、液晶モニタ３０にメニュー画面が表示されるので、そのメニュー画面に表示されたメニューの中から「画等登録」の項目を選択して設定する。
【０１２３】
画等登録の項目が選択されると、図１２（ｂ）に示すように、液晶モニタ３０に画像登録のメニュー画面が表示されるので、その画像登録のメニュー画面に表示されたメニューの中から「アラーム強制停止画像登録」の項目を選択して設定する。
【０１２４】
このアラーム強制停止画像登録の項目が選択されると、ＣＰＵ１１０は、デジタルカメラ１０を撮影スタンバイ状態にし、液晶モニタ３０に撮影を促すメッセージ（「登録する画像を撮影して下さい」）を表示する（図１２（ｃ）参照）。ユーザは、このメッセージに応じて画像をスヌーズ機能を解除するためのアラーム強制停止画像を撮影する。
【０１２５】
ここでは、図１３に示すように、左手でピースサインをしながら撮影したユーザの上半身の画像をアラーム強制停止画像に登録するものとする。
【０１２６】
撮影された画像は、登録を確認するため、図１２（ｄ）に示すように、プレビュー表示される。ユーザは、撮影された画像を登録する場合は、ＭＥＮＵ／ＯＫボタン３６を押し、中止する場合は、ＢＡＣＫボタン４０を押す。ＢＡＣＫボタン４０が押されると、再度撮影が行われ、ＭＥＮＵ／ＯＫボタン３６が押されると、画像が登録される。すなわち、撮影された画像データが、アラーム強制停止画像としてＥＥＰＲＯＭ１１８に記録される。この場合において、すでにアラーム強制停止画像がＥＥＰＲＯＭ１１８に記録されている場合は、新たに撮影された画像に書き換えられる。
【０１２７】
なお、上記の例では、ユーザが自らアラーム強制停止画像を登録する場合の処理について説明したが、スヌーズ機能が有効にされている場合において、アラーム強制停止画像が未登録の場合には、スヌーズ機能をＯＮ設定にした段階で、アラーム強制停止画像の画像登録モードに移行するものとする。
【０１２８】
また、撮影済みの画像ファイル（記憶メディアに記憶済みの画像ファイル）から選択したものをアラーム強制停止画像に使用するようにしてもよい。
【０１２９】
また、アラーム強制停止画像の登録数は、ひとつに限らず、複数の画像を登録するようにしてもよい。この場合、撮影した画像が、登録されている複数のアラーム強制停止画像の中の１つと一致すると、スヌーズ機能が解除されるようにする。あるいは、登録されている複数のアラーム強制停止画像のすべてが撮影されると、スヌーズ機能が解除されるようにする。
【０１３０】
図１４は、スヌーズ機能の停止処理の手順を示すフローチャートである。
【０１３１】
アラームが発生すると（ステップＳ５０）、ＣＰＵ１１０は、スヌーズ機能が有効（ＯＮ）にされているか否か判定し（ステップＳ５１）、有効にされている場合において、以下のスヌーズ機能の停止処理を実行する。
【０１３２】
まず、計時回路１２４から現在日時の情報を取得するとともに、ＥＥＰＲＯＭ１１８から監視時間の情報を取得し、監視時間内であるか否かを判定する（ステップＳ５２）。
【０１３３】
監視時間内でない場合は、処理を終了し、監視時間内の場合は、撮影の有無を判定する（ステップＳ５３）。
【０１３４】
ユーザは、スヌーズ機能を解除する場合、デジタルカメラ１０を操作し、あらかじめ登録したアラーム強制停止画像と同じ画像を撮影する。
【０１３５】
撮影が行われた場合、ＣＰＵ１１０は、その撮影された画像が、アラーム強制停止画像と一致するか否か判定し（ステップＳ５４）、一致した場合は、スヌーズ機能をＯＦＦにする。
【０１３６】
ここで、撮影画像とアラーム強制停止画像とが一致するか否かは、撮影画像とアラーム強制停止画像との差分を求めることにより行われ、この差分が一定の閾値未満の場合、撮影画像とアラーム強制停止画像とが一致していると判断する。
【０１３７】
なお、撮影画像とアラーム強制停止画像とが一致し、スヌーズ機能を解除（ＯＦＦ）する場合において、アラームが発生している場合には、このアラームもＯＦＦにする。
【０１３８】
このように、スヌーズ機能を解除する機能を持たせることにより、ユーザが完全に目覚めている間もアラームが鳴り続けるという不具合を防止することができる。
【０１３９】
なお、スヌーズ機能を解除する方法に関しては、これに限らず、特定のボタン操作で解除する方法や、特定の操作、たとえば、デジタルカメラ１０の電源を一度ＯＮした後、ＯＦＦにする操作や、シャッターボタン２２を規定回数押す操作などを行うことによって、解除するようにしてもよい。
【０１４０】
次に、本発明に係るデジタルカメラの第２の実施の形態について説明する。
【０１４１】
上述した第１の実施の形態のデジタルカメラ１０では、アラーム発生後、画角内で物体の移動が検出されると、アラームが停止されるように構成されているが、本実施の形態のデジタルカメラ１０では、アラーム発生後、画角内で物体の消失が検出されると、アラームが停止される。
【０１４２】
なお、デジタルカメラの構成自体は、上述した第１の実施の形態のものと同じなので、ここでは、カメラのアラーム機能についてのみ説明する。
【０１４３】
図１５は、第２のデジタルカメラのアラーム機能の処理手順を示すフローチャートである。
【０１４４】
なお、本例では、就寝中の人物が画角内から消えると、アラームが停止するようにするため、デジタルカメラ１０は、図１６（ａ）に示すように、就寝中の人物が撮影されるようにセットするものとする。
【０１４５】
ＣＰＵ１１０は、アラーム機能が有効（ＯＮ）にされているか否か判定し（ステップＳ６０）、有効にされている場合において、以下のアラーム機能の処理を実行する。
【０１４６】
まず、計時回路１２４から現在日時の情報を取得するとともに、ＥＥＰＲＯＭ１１８からアラーム発生時刻を取得し、アラーム発生時刻に達しているか否か判定する（ステップＳ６１）。
【０１４７】
アラーム発生時刻に達していると判定すると、ＣＰＵ１１０は、カメラの電源がＯＦＦにされているか否か判定し（ステップＳ６２）、ＯＦＦにされている場合は、電源をＯＮにする（ステップＳ６３）。そして、ＲＯＭ１１６に記録されているアラームの音声ファイルを読み出し、音声出力処理回路１６６に加えて、スピーカ４２からアラームを発生させる（ステップＳ６４）。
【０１４８】
また、撮像系に電源を供給し、撮影を開始する（ステップＳ６５）。そして、その撮影画像に基づき画角内における物体の消失を検出する（ステップＳ６６）。
【０１４９】
ここで、物体が消失したことの検出は、撮像素子１３４で定期的に撮像される画像に対して、現在の撮影画像と前回の撮影画像との差分を求めることにより行われ、この差分が一定の閾値を超えたことをもって画角内で物体が消失したことを検出する。
【０１５０】
たとえば、図１６（ａ）に示すように、就寝中の人物を写した画像は、図１７（ａ）に示すように、変化がほとんどないが、図１６（ｂ）〜（ｃ）に示すように、就寝中の人物が起き上がり、画角内から消えると、図１７（ｂ）〜（ｃ）に示すように、撮影画像が変化するので、その差分を検出することにより、画角内の物体が消失したか否か検出することができる。
【０１５１】
画像信号処理回路１４４は、ＣＰＵ１１０による制御の下、撮像素子１３４から定期的に取り込まれる画像信号を処理し、現在の撮影画像と前回の撮影画像との差分を求め、ＣＰＵ１１０に出力する。ＣＰＵ１１０は、この差分とＲＯＭ１１６にあらかじめ記録されている閾値とを比較し、撮影画角内における物体の消失を検出する。そして、物体の消失が検出されると、アラームの停止処理を行い（ステップＳ６７）、アラーム機能の処理を終了する。
【０１５２】
このように、本実施の形態のデジタルカメラ１０では、画角内における物体の消失が検出されると、アラームが停止される。これにより、寝過ごしを有効に防止することができる。
【０１５３】
なお、画角内における物体の消失の検出は、上記方法に限らず、次の方法にて検出するようにしてもよい。
【０１５４】
この検出方法は、あらかじめアラーム停止用の画像（アラーム停止画像）を撮影しておき、アラーム発生後、このアラーム停止画像が撮影されなくなったことをもって画角内の物体が消失したものと判定するものである。
【０１５５】
アラーム停止画像は、あらかじめユーザが撮影して、デジタルカメラ１０に登録しておくものとする。登録はカメラのモードを画像登録モードに設定して行われる。画像登録モードは、時計モードの下、メニューから呼び出して設定される。すなわち、電源／モードスイッチ２４にてカメラのモードを時計モードに設定し、ＭＥＮＵ／ＯＫボタン３６を押すと、図１８（ａ）に示すように、液晶モニタ３０にメニュー画面が表示されるので、そのメニュー画面に表示されたメニューの中から「画像登録」の項目を選択して設定する。
【０１５６】
画像登録の項目が選択されると、図１８（ｂ）に示すように、液晶モニタ３０に画像登録のメニュー画面が表示されるので、その画像登録のメニュー画面に表示されたメニューの中から「アラーム停止画像登録」の項目を選択して設定する。
【０１５７】
このアラーム停止画像登録の項目が選択されると、ＣＰＵ１１０は、デジタルカメラ１０を撮影スタンバイ状態にし、液晶モニタ３０に撮影を促すメッセージ（「登録する画像を撮影して下さい」）を表示する（図１８（ｃ）参照）。ユーザは、このメッセージに応じてアラーム停止画像用の撮影を実施する。
【０１５８】
撮影された画像は、登録を確認するため、図１８（ｄ）に示すように、プレビュー表示される。ユーザは、撮影された画像を登録する場合は、ＭＥＮＵ／ＯＫボタン３６を押し、中止する場合は、ＢＡＣＫボタン４０を押す。ＢＡＣＫボタン４０が押されると、再度撮影が行われ、ＭＥＮＵ／ＯＫボタン３６が押されると、画像が登録される。すなわち、撮影された画像データが、アラーム停止画像としてＥＥＰＲＯＭ１１８に記録される。この場合において、すでにアラーム停止画像がＥＥＰＲＯＭ１１８に記録されている場合は、新たに撮影された画像に書き換えられる。
【０１５９】
なお、上記の例では、ユーザが自らアラーム強制停止画像を登録する場合の処理について説明したが、アラーム機能が有効にされている場合において、アラーム停止画像が未登録の場合には、アラーム機能をＯＮ設定にした段階で、アラーム停止画像の画像登録モードに移行するものとする。
【０１６０】
また、アラーム停止画像の登録数は、ひとつに限らず複数の画像を登録するようにしてもよい。
【０１６１】
また、撮影済みの画像ファイル（記憶メディアに記憶済みの画像ファイル）から選択したものをアラーム停止画像に使用するようにしてもよい。
【０１６２】
図１９は、アラーム停止画像に基づきアラームを停止させる場合の処理手順を示すフローチャートである。
【０１６３】
なお、本例では、就寝中の人物が画角内から消えると、アラームが停止するようにするため、アラーム停止画像は、就寝中の人物を写したものとし、デジタルカメラ１０は、図１６（ａ）に示すように、就寝中の人物が撮影されるようにセットするものとする。
【０１６４】
ＣＰＵ１１０は、アラーム機能が有効（ＯＮ）にされているか否か判定し（ステップＳ７０）、有効にされている場合において、以下のアラーム機能の処理を実行する。
【０１６５】
まず、計時回路１２４から現在日時の情報を取得するとともに、ＥＥＰＲＯＭ１１８からアラーム発生時刻を取得し、アラーム発生時刻に達しているか否か判定する（ステップＳ７１）。
【０１６６】
アラーム発生時刻に達していると判定すると、ＣＰＵ１１０は、カメラの電源がＯＦＦにされているか否か判定し（ステップＳ７２）、ＯＦＦにされている場合は、電源をＯＮにする（ステップＳ７３）。そして、ＲＯＭ１１６に記録されているアラームの音声ファイルを読み出し、音声出力処理回路１６６に加えて、スピーカ４２からアラームを発生させる（ステップＳ７４）。
【０１６７】
また、撮像系に電源を供給し、撮影を開始する（ステップＳ７５）。そして、その撮影画像に基づき画角内における物体の消失を検出する。すなわち、アラーム停止画像が撮影されているか否か検出する（ステップＳ７６）。
【０１６８】
ここで、アラーム停止画像が撮影されているか否かは、撮像素子１３４で撮像される画像と、ＥＥＰＲＯＭ１１８に記録されているアラーム停止画像とを比較し、現在の撮影画像と前回の撮影画像との差分を求めることにより行われ、この差分が一定の閾値未満であることをもってアラーム停止画像が撮影されていると判定する。
【０１６９】
画像信号処理回路１４４は、ＣＰＵ１１０による制御の下、撮像素子１３４から定期的に取り込まれる画像信号を処理し、撮影された画像とアラーム停止画像との差分を求め、ＣＰＵ１１０に出力する。ＣＰＵ１１０は、この差分とＲＯＭ１１６にあらかじめ記録されている閾値とを比較し、あらかじめ登録されているアラーム停止画像が撮影されているか否か検出する。
【０１７０】
そして、アラーム停止画像が撮影されていないことが検出されると、物体が消失したものとして、アラームの停止処理を行い（ステップＳ７７）、アラーム機能の処理を終了する。
【０１７１】
このように、あらかじめ登録したアラーム停止画像が撮影されなくなったことをもって画角内の物体が消失したことを検出するようにしてもよい。
【０１７２】
なお、複数のアラーム停止画像が登録されている場合には、その中の１つでも撮影されている間は、画角内から物体は消失していないものとして、アラームを継続して鳴らすようにする。
【０１７３】
また、上記の例では、アラーム停止画像として人物を登録した場合を例に説明したが、アラーム停止画像として登録する被写体は人物に限定されず、物や景色でもよい。
【０１７４】
なお、本実施の形態のデジタルカメラにおいても、上述した第１の実施の形態のデジタルカメラと同様にスヌーズ機能及びスヌーズ解除機能を備えることが好ましい。
【０１７５】
次に、本発明に係るデジタルカメラの第３の実施の形態について説明する。
【０１７６】
第３の実施の形態のデジタルカメラ１０では、アラーム発生後、あらかじめ撮影した特定の画像、たとえば、特定のポーズをとった人物の画像と同じ画像が撮像されると、アラームが停止される。
【０１７７】
なお、デジタルカメラの構成自体は、上述した第１の実施の形態のものと同じなので、ここでは、カメラのアラーム機能についてのみ説明する。
【０１７８】
上記のように、本実施の形態のデジタルカメラ１０では、あらかじめ撮影した特定の画像（アラーム停止画像）と同じ画像が撮像されると、アラームが停止される。
【０１７９】
アラーム停止画像は、あらかじめユーザが撮影して、デジタルカメラ１０に登録しておくものとする。登録方法については、上述した第２の実施の形態におけるアラーム停止画像の登録方法と同じなので（図１８参照）、ここでは、その説明は省略する。
【０１８０】
なお、本例では、図２０に示すように、特定のポーズをとった人物を撮影した画像をアラーム停止画像とする。
【０１８１】
図２１は、第３の実施の形態のデジタルカメラにおけるアラーム機能の処理手順を示すフローチャートである。
【０１８２】
ＣＰＵ１１０は、アラーム機能が有効（ＯＮ）にされているか否か判定し（ステップＳ８０）、有効にされている場合において、以下のアラーム機能の処理を実行する。
【０１８３】
まず、計時回路１２４から現在日時の情報を取得するとともに、ＥＥＰＲＯＭ１１８からアラーム発生時刻を取得し、アラーム発生時刻に達しているか否か判定する（ステップＳ８１）。
【０１８４】
アラーム発生時刻に達していると判定すると、ＣＰＵ１１０は、カメラの電源がＯＦＦにされているか否か判定し（ステップＳ８２）、ＯＦＦにされている場合は、電源をＯＮにする（ステップＳ８３）。そして、ＲＯＭ１１６に記録されているアラームの音声ファイルを読み出し、音声出力処理回路１６６に加えて、スピーカ４２からアラームを発生させる（ステップＳ８４）。
【０１８５】
また、撮像系に電源を供給し、撮影を開始する（ステップＳ８５）。そして、その撮影画像に基づきアラーム停止画像が撮影されたか否か検出する（ステップＳ７６）。
【０１８６】
ここで、アラーム停止画像が撮影されたか否かは、図２２に示すように、撮像素子１３４で撮像される画像と、ＥＥＰＲＯＭ１１８に記録されているアラーム停止画像とを比較し、現在の撮影画像と前回の撮影画像との差分を求めることにより行われ、この差分が一定の閾値を未満であることをもってアラーム停止画像が撮影された判定する。
【０１８７】
画像信号処理回路１４４は、ＣＰＵ１１０による制御の下、撮像素子１３４から定期的に取り込まれる画像信号を処理し、撮影された画像とアラーム停止画像との差分を求め、ＣＰＵ１１０に出力する。ＣＰＵ１１０は、この差分とＲＯＭ１１６にあらかじめ記録された閾値とを比較し、アラーム停止画像が撮影されたか否かを検出する。
【０１８８】
アラーム停止画像が撮影されたことが検出されると、ＣＰＵ１１０は、アラームの停止処理を行い（ステップＳ８７）、アラーム機能の処理を終了する。
【０１８９】
したがって、発生したアラームを停止する場合、ユーザは、あらかじめ登録したアラーム停止画像と同じ画像をデジタルカメラ１０に撮影させる。本例では、特定のポーズをしたユーザの画像をアラーム停止画像として登録しているので、図２３に示すように、ユーザがデジタルカメラ１０の前で同じポーズをとることにより、アラームは停止される。
【０１９０】
このように、本実施の形態のデジタルカメラでは、あらかじめ登録したアラーム停止画像と同じ画像が撮影されると、アラームが停止される。したがって、ユーザが積極的にアラーム停止画像と同じ画像が撮影されるようにしない限り、アラームを止めることができないので、寝過ごしを有効に防止することができる。
【０１９１】
なお、本実施の形態のデジタルカメラにおいても、上述した第１の実施の形態のデジタルカメラと同様にスヌーズ機能及びスヌーズ解除機能を備えることが好ましい。
【０１９２】
また、本実施の形態では、アラーム停止画像を１つのみ登録する場合を例に説明したが、アラーム停止画像は複数登録できるようにしてもよい。この場合、複数あるアラーム停止画像のうち、１つでも同じ画像が撮像されれば、アラームが停止するようにする。
【０１９３】
また、複数のアラーム停止画像を特定の順番で登録し、その登録された順番でアラーム撮影画像が撮影されると、アラームが停止するようにしてもよい。
【０１９４】
以下、この特定の順番で撮影したアラーム停止画像によってアラームを停止する場合の処理について説明する。
【０１９５】
まず、アラーム停止画像の登録方法について説明する。図２４は、複数のアラーム停止画像を特定の順番で登録する場合の処理の手順を示すフローチャートである。
【０１９６】
アラーム停止画像の登録は、カメラのモードを画像登録モードに設定して行われる。画像登録モードは、時計モードの下、メニューから呼び出して設定される。すなわち、電源／モードスイッチ２４にてカメラのモードを時計モードに設定し、ＭＥＮＵ／ＯＫボタン３６を押すと、図２５（ａ）に示すように、液晶モニタ３０にメニュー画面が表示されるので、そのメニュー画面に表示されたメニューの中から「画等登録」の項目を選択して設定する。
【０１９７】
画等登録の項目が選択されると、図２５（ｂ）に示すように、液晶モニタ３０に画登登録のメニュー画面が表示されるので、その画等登録のメニュー画面に表示されたメニューの中から「アラーム停止画像登録」の項目を選択して設定する。
【０１９８】
これにより、デジタルカメラ１０のモードがアラーム停止画像登録モードに設定される。ＣＰＵ１１０は、カメラのモードがアラーム停止画像登録モードに設定されたか否か判定する（ステップＳ９０）。そして、アラーム停止画像登録に設定されたと判定すると、カメラを撮影スタンバイ状態にし、液晶モニタ３０に撮影を促すメッセージ（「登録する画像を撮影して下さい」）を表示する（図２５（ｃ）参照）。ユーザは、このメッセージに応じてアラーム停止画像用の撮影を実施する（ステップＳ９１）。
【０１９９】
撮影された画像は、登録を確認するため、図２５（ｄ）に示すように、プレビュー表示される。ユーザは、撮影された画像を登録する場合は、ＭＥＮＵ／ＯＫボタン３６を押し、中止する場合は、ＢＡＣＫボタン４０を押す。ＢＡＣＫボタン４０が押されると、再度撮影が行われ、ＭＥＮＵ／ＯＫボタン３６が押されると、画像が登録される。すなわち、撮影された画像データが、１枚目のアラーム停止画像としてメモリ１２０に一時記録される。
【０２００】
１枚目のアラーム停止画像が撮影されると、ＣＰＵ１１０は、図２５（ｅ）に示すように、２枚目の撮影を行うか否かを問うメッセージ（「登録する画像を続けて撮影しますか」）を液晶モニタ３０に表示させる。ユーザは、この液晶モニタ３０に表示されたメッセージに従って、次の画像を撮影する場合は、ＭＥＮＵ／ＯＫボタン３６を押し、撮影しない場合は、ＢＡＣＫボタン４０を押す。ＣＰＵ１１０は、この操作部（ＭＥＮＵ／ＯＫボタン３６、ＢＡＣＫボタン４０）１１２からの情報に基づいて次に登録する画像の撮影を行うか否か判定する（ステップＳ９２）。
【０２０１】
次に登録する画像を撮影すると判定した場合は、ステップＳ９１に戻り、再度撮影処理を実施する。
【０２０２】
一方、次に登録する画像を撮影しないと判定した場合、ＣＰＵ１１０は、それまで撮影されたアラーム停止画像用の画像をメモリ１２０から読み出し、図２５（ｆ）に示すように、撮影した順に液晶モニタ３０に一覧表示させる。また、これと同時に液晶モニタ３０に登録順位を変えるか否かを問うメッセージ（「順番を変更しますか」）を表示する。
【０２０３】
ユーザは、この液晶モニタ３０に表示されたメッセージに従って登録順位を変更する場合は、ＭＥＮＵ／ＯＫボタン３６を押し、変更しない場合はＢＡＣＫボタン４０を押す。ＣＰＵ１１０は、この操作部（ＭＥＮＵ／ＯＫボタン３６、ＢＡＣＫボタン４０）１１２からの情報に基づいて、登録順位の変更を行うか否か判定する（ステップＳ９３）。
【０２０４】
登録順位を変更しないと判定した場合、ＣＰＵ１１０は、撮影された順番でメモリ１２０に記録されている画像をＥＥＰＲＯＭ１１８に記録し（ステップＳ９５）、処理を終了する。
【０２０５】
一方、登録順位を変更すると判定した場合、ＣＰＵ１１０は、画像の登録順位の変更処理を行う（ステップＳ９４）。登録順位の変更は、たとえば、図２５（ｇ）に示すように、撮影された順で液晶モニタ３０に一覧表示された画像の中から任意の画像を選択し（カーソルで選択：カーソルの移動は十字ボタン３４、決定はＭＥＮＵ／ＯＫボタン３４）、十字ボタン３４の左右のキーを操作すると、その選択された画像の順位が前後するようにする。処理終了は、ＢＡＣＫ４０ボタンの押下により行い、このＢＡＣＫボタン４０が押されたことを検出すると、ＣＰＵ１１０は、並び替えられた順番でメモリ１２０に記録されている画像をＥＥＰＲＯＭ１１８に記録する（ステップＳ９５）。
【０２０６】
なお、上記例ではアラーム停止画像を新規に撮影して登録しているが、撮影済みの画像ファイル（記憶メディアに記憶済みの画像ファイル）から選択したものを使用するようにしてもよい。
【０２０７】
また、再登録の場合には、新たに撮影したアラーム停止画像を上書きしてＥＥＰＲＯＭ１１８に記録するものとする。
【０２０８】
図２６は、特定の順番で登録された複数のアラーム停止画像に基づきアラームを停止させる場合の処理手順を示すフローチャートである。
【０２０９】
なお、本例では、図２７に示すように、３種類のポーズで撮影したユーザの画像がアラーム停止画像に登録されているものとする。
【０２１０】
ＣＰＵ１１０は、アラーム機能が有効（ＯＮ）にされているか否か判定し（ステップＳ１００）、有効にされている場合において、以下のアラーム機能の処理を実行する。
【０２１１】
まず、計時回路１２４から現在日時の情報を取得するとともに、ＥＥＰＲＯＭ１１８からアラーム発生時刻を取得し、アラーム発生時刻に達しているか否か判定する（ステップＳ１０１）。
【０２１２】
アラーム発生時刻に達していると判定すると、ＣＰＵ１１０は、カメラの電源がＯＦＦにされているか否か判定し（ステップＳ１０２）、ＯＦＦにされている場合は、電源をＯＮにする（ステップＳ１０３）。そして、ＲＯＭ１１６に記録されているアラームの音声ファイルを読み出し、音声出力処理回路１６６に加えて、スピーカ４２からアラームを発生させる（ステップＳ１０４）。
【０２１３】
また、撮像系に電源を供給し、撮影を開始する（ステップＳ１０５）。そして、その撮影画像に基づき、あらかじめ登録されているアラーム停止画像が所定の順番で撮影されているか否か検出する（ステップＳ１０６）。
【０２１４】
ここで、あらかじめ登録されているアラーム停止画像が撮影されたか否かは、撮像素子１３４で撮像される画像と、ＥＥＰＲＯＭ１１８に記録されているアラーム停止画像とを比較し、現在の撮影画像と前回の撮影画像との差分を求めることにより行われ、この差分が一定の閾値を未満であることをもってアラーム停止画像が撮影されたと判定する。
【０２１５】
画像信号処理回路１４４は、ＣＰＵ１１０による制御の下、撮像素子１３４から定期的に取り込まれる画像信号を処理し、撮影された画像とアラーム停止画像との差分を求め、ＣＰＵ１１０に出力する。ＣＰＵ１１０は、この差分とＲＯＭ１１６にあらかじめ記録された閾値とを比較し、登録されているアラーム停止画像が撮影されたか否か検出する。
【０２１６】
ＣＰＵ１１０は、この検出をアラーム停止画像の登録順に実施する。すなわち、第１のアラーム停止画像が撮影されたことが検出されると、次に、第２のアラーム停止画像撮影されたか否か検出し、次に、第３のアラーム停止画像が撮影されたか否か検出する。そして、登録されているすべてのアラーム停止画像が撮影されたことを検出すると、登録されている順でアラーム停止画像が撮影されたものとして、アラームの停止処理を実施する（ステップＳ１０７）。
【０２１７】
したがって、発生したアラームを止める場合、ユーザは、あらかじめ登録した画像がデジタルカメラ１０に撮影されるようにすればよい。本例の場合、図２７に示すように、３種類のポーズで撮影したユーザの画像がアラーム停止画像に登録されているので、アラームを止める場合、ユーザは、図２８に示すように、デジタルカメラ１０の前であらかじめ登録したアラーム停止画像と同じポーズを同じ順番でとればよい。
【０２１８】
このように、本実施の形態では、あらかじめ登録した画像と同じ画像が撮影されるようにしなければ、アラームを止めることができないので、寝過ごしを効果的に防止することができる。
【０２１９】
なお、本実施の形態のデジタルカメラにおいても、上述した第１の実施の形態のデジタルカメラと同様にスヌーズ機能及びスヌーズ解除機能を備えることが好ましい。
【０２２０】
次に、本発明に係るデジタルカメラの第４の実施の形態について説明する。
【０２２１】
第４の実施の形態のデジタルカメラ１０では、アラーム発生後、あらかじめカメラに登録されている特定の画像、たとえば、特定のポーズをとった人物の画像と同じ画像をユーザが撮影すると、アラームが停止される。
【０２２２】
なお、デジタルカメラの構成自体は、上述した第１の実施の形態のものと同じなので、ここでは、カメラのアラーム機能についてのみ説明する。
【０２２３】
上記のように、本実施の形態のデジタルカメラ１０では、アラーム発生後、あらかじめカメラに登録された特定の画像（アラーム停止画像）をユーザが撮影すると、アラームが停止される。このアラーム停止画像は、あらかじめユーザが撮影して、登録しておく必要がある。
【０２２４】
なお、このアラーム停止画像の登録方法は、上述したスヌーズ解除機能におけるアラーム強制停止画像の登録方法と同じなので、ここでは、その説明は省略する（図１２及び図１３参照）。
【０２２５】
図２９は、第４の実施の形態のデジタルカメラにおけるアラーム機能の処理手順を示すフローチャートである。
【０２２６】
なお、本例では、左手でピースサインをしているユーザの上半身を写した画像をアラーム停止画像として登録してあるものとする（図１３参照）。
【０２２７】
ＣＰＵ１１０は、アラーム機能が有効（ＯＮ）にされているか否か判定し（ステップＳ１１０）、有効にされている場合において、以下のアラーム機能の処理を実行する。
【０２２８】
まず、計時回路１２４から現在日時の情報を取得するとともに、ＥＥＰＲＯＭ１１８からアラーム発生時刻を取得し、アラーム発生時刻に達しているか否か判定する（ステップＳ１１１）。
【０２２９】
アラーム発生時刻に達していると判定すると、ＲＯＭ１１６に記録されているアラームの音声ファイルを読み出し、音声出力処理回路１６６に加えて、スピーカ４２からアラームを発生させる（ステップＳ１１２）。
【０２３０】
ユーザがアラームを停止させる場合、図３０に示すように、カメラを撮影モードにし、あらかじめ登録されたアラーム停止画像と同じ画像を撮影する。
【０２３１】
ＣＰＵ１１０は、撮影が行われたか否か判定し（ステップＳ１１３）、撮影が行われた場合は、その撮影された画像が、あらかじめ登録されたアラーム停止画像と一致するか否か判定する（ステップＳ１１４）。
【０２３２】
ここで、撮影された画像とアラーム停止画像とが一致するか否かは、図３１に示すように、撮影された画像と、ＥＥＰＲＯＭ１１８に記録されているアラーム停止画像との差分を求め、その差分が一定の閾値を未満の場合、両者が一致しているものと判定する。
【０２３３】
画像信号処理回路１４４は、ＣＰＵ１１０による制御の下、撮影された画像信号を処理し、撮影された画像とアラーム停止画像との差分を求め、ＣＰＵ１１０に出力する。ＣＰＵ１１０は、この差分とＲＯＭ１１６にあらかじめ記録されている閾値とを比較し、撮影された画像がアラーム停止画像と一致するか否か判定する。
【０２３４】
撮影された画像がアラーム停止画像と一致していると判定した場合は、アラームを停止し（ステップＳ１１５）、処理を終了する。
【０２３５】
一方、撮影された画像がアラーム停止画像と一致していないと判定した場合は、ステップＳ１１３に戻り、撮影のやり直しが行われる。
【０２３６】
このように、本実施の形態では、あらかじめ登録したアラーム画像と同じ画像が、ユーザによって撮影されると、アラームが停止される。したがって、アラーム停止画像をユーザが撮影しない限り、アラームを止めることができないので、寝過ごしを効果的に防止することができる。
【０２３７】
なお、本実施の形態のデジタルカメラにおいても、上述した第１の実施の形態のデジタルカメラと同様にスヌーズ機能を備えることが好ましい。この場合、スヌーズ機能は、特定の操作によって解除するように設定する。
【０２３８】
また、アラームを止めるために撮影した画像にはついては、記憶メディア１５０に記録するようにしてもよい。
【０２３９】
また、アラーム停止画像の登録数は、ひとつに限らず、複数の画像を登録するようにしてもよい。この場合、撮影した画像が、登録されている複数のアラーム停止画像の中の１つと一致すると、アラームが停止するようにしてもよいし、登録されているすべてのアラーム停止画像が撮影されると、アラームが停止するようにしてもよい。あるいは、特定の順番で登録されたアラーム停止画像が、特定の順番で撮影されると、アラームが停止されるようにしてもよい。
【０２４０】
また、上記実施の形態では、本発明をデジタルカメラに適用した場合を例に説明したが、カメラ付き携帯電話等にも同様に適用することができる。
【図面の簡単な説明】
【０２４１】
【図１】本発明が適用されたデジタルカメラの正面斜視図
【図２】本発明が適用されたデジタルカメラの背面斜視図
【図３】デジタルカメラの電気系の構成を示すブロック図
【図４】アラーム機能の設定処理の手順を示すフローチャート
【図５】アラーム機能設定時における液晶モニタの表示例を示す図
【図６】アラーム機能使用時におけるデジタルカメラの使用状況の一例を示す図
【図７】アラーム機能使用時における撮影画像の一例を示す図
【図８】アラーム機能の処理手順を示すフローチャート
【図９】スヌーズ機能の設定処理の手順を示すフローチャート
【図１０】スヌーズ機能設定時における液晶モニタの表示例を示す図
【図１１】スヌーズ機能有効時におけるアラーム機能の処理手順を示すフローチャート
【図１２】アラーム強制停止画像登録時における液晶モニタの表示例を示す図
【図１３】アラーム強制停止画像の登録方法の説明図
【図１４】スヌーズ機能の停止処理の手順を示すフローチャート
【図１５】第２のデジタルカメラのアラーム機能の処理手順を示すフローチャート
【図１６】アラーム機能使用時におけるデジタルカメラの使用状況の一例を示す図
【図１７】アラーム機能使用時における撮影画像の一例を示す図
【図１８】アラーム停止画像登録時における液晶モニタの表示例を示す図
【図１９】登録されたアラーム停止画像に基づきアラームを停止させる場合の処理手順を示すフローチャート
【図２０】アラーム停止画像の登録方法の説明図
【図２１】第３の実施の形態のデジタルカメラのアラーム機能の処理手順を示すフローチャート
【図２２】アラーム停止画像の検出方法の説明図
【図２３】アラーム機能使用時におけるデジタルカメラの使用状況の一例を示す図
【図２４】複数のアラーム停止画像を特定の順番で登録する場合の処理の手順を示すフローチャート
【図２５】アラーム停止画像登録時における液晶モニタの表示例を示す図
【図２６】特定の順番で登録された複数のアラーム停止画像に基づきアラームを停止させる場合の処理手順を示すフローチャート
【図２７】アラーム停止画像の登録方法の説明図
【図２８】アラーム機能使用時におけるデジタルカメラの使用状況の一例を示す図
【図２９】第４の実施の形態のデジタルカメラのアラーム機能の処理手順を示すフローチャート
【図３０】アラーム機能使用時におけるデジタルカメラの使用状況の一例を示す図
【図３１】アラーム停止画像の検出方法の説明図
【符号の説明】
【０２４２】
１０…デジタルカメラ、１２…カメラボディ、１４…撮影レンズ、１６…ファインダ窓、１８…ストロボ、２０…マイク、２２…シャッターボタン、２４…電源／モードスイッチ、２６…モードダイヤル、２８…ファインダ接眼部、３０…液晶モニタ、３２…ズームボタン、３４…十字ボタン、３６…ＭＥＮＵ／ＯＫボタン、３８…ＤＩＳＰボタン、４０…ＢＡＣＫボタン、４２…スピーカ、４４…ＵＳＢ端子、４６…電源端子、４８…ＡＶ出力端子、５０…絞り、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…計時回路、１２６…光学ユニット、１２８…フォーカスモータドライバ、１３０…ズームモータドライバ、１３２…アイリスモータドライバ、１３４…撮像素子、１３６…タイミングジェネレータ（ＴＧ）、１３８…アナログ処理回路、１４０…Ａ／Ｄ変換器、１４２…画像入力コントローラ、１４４…画像信号処理回路、１４６…圧縮・伸張処理回路、１４８…メディアコントローラ、１５０…記憶メディア（メモリカード）、１５２…ＵＳＢインターフェース、１５４…ＬＣＤ／ビデオエンコーダ、１５６…ＯＳＤ回路、１５８…ＡＥ／ＡＷＢ検出回路、１６０…ＡＦ検出回路、１６２…ストロボ制御回路、１６４…音声入力回路、１６６…音声出力処理回路
【図１】
2005328467.tif 000003
【図２】
2005328467.tif 000004
【図３】
2005328467.tif 000005
【図４】
2005328467.tif 000006
【図５】
2005328467.tif 000007
【図６】
2005328467.tif 000008
【図７】
2005328467.tif 000009
【図８】
2005328467.tif 000010
【図９】
2005328467.tif 000011
【図１０】
2005328467.tif 000012
【図１１】
2005328467.tif 000013
【図１２】
2005328467.tif 000014
【図１３】
2005328467.tif 000015
【図１４】
2005328467.tif 000016
【図１５】
2005328467.tif 000017
【図１６】
2005328467.tif 000018
【図１７】
2005328467.tif 000019
【図１８】
2005328467.tif 000020
【図１９】
2005328467.tif 000021
【図２０】
2005328467.tif 000022
【図２１】
2005328467.tif 000023
【図２２】
2005328467.tif 000024
【図２３】
2005328467.tif 000025
【図２４】
2005328467.tif 000026
【図２５】
2005328467.tif 000027
【図２６】
2005328467.tif 000028
【図２７】
2005328467.tif 000029
【図２８】
2005328467.tif 000030
【図２９】
2005328467.tif 000031
【図３０】
2005328467.tif 000032
【図３１】
2005328467.tif 000033